(57)【要約】【課題】  画像読取部を安定的に支持しつつ容易に開閉し得る構成の、画像形成装置を提供する。【解決手段】  プリント部２の上方にはイメージスキャナ部３が配置されている。イメージスキャナ部３は、回動中心軸Ｃを中心として回動し得るように、プリント部２によって支持されている。プリント部２は、平面視にて略長方形状の下側筐体２１０を備えている。イメージスキャナ部３は、平面視にて略長方形状の上側筐体３１０を備えている。上側筐体３１０の一の角部である第２上側角部３１５が、その真下に位置する下側筐体２１０の角部である第２下側角部２１６から突出するように、下側筐体２１０及び上側筐体３１０が構成されている。【選択図】  図１
2008107573.tif 000002
【特許請求の範囲】
【請求項１】
平面視にて略長方形状の箱状部材から構成されていて上部に排紙口及び排紙トレイが設けられた下側筐体を備えた、画像形成部と、
平面視にて略長方形状に形成されていて前記排紙トレイを上方から覆うように前記画像形成部の上方に配置された上側筐体を備え、前記略直方体形状における外縁の近傍位置に設けられた回動中心軸を中心として回動し得るように前記下側筐体によって支持された、画像読取部と、
を備え、
前記下側筐体は、
前記回動中心軸の一端側に設けられていて、前記上側筐体を下方から支持し得るように構成された第１側方支持部と、
前記回動中心軸の前記一端側とは異なる他端側に設けられていて、前記上側筐体を下方から支持し得るように構成された第２側方支持部と、
を備え、
前記第１側方支持部の、前記回動中心軸から遠い側の端部は、前記上側筐体における前記回動中心軸から離隔した自由端側の角部である第１上側角部を下方から支持するように設けられ、
前記第１上側角部の真下に位置する前記下側筐体の角部である第１下側角部は、前記第１側方支持部の前記端部と連続するように設けられ、
前記第２側方支持部の、前記回動中心軸から遠い側の端部は、前記上側筐体における前記自由端側の角部である第２上側角部よりも前記回動中心軸側にオフセットした位置に設けられ、
前記第２上側角部の真下に位置する前記下側筐体の角部である第２下側角部には、前記第２上側角部が当該第２下側角部から突出するように、凹部が形成されていることを特徴とする、画像形成装置。
【請求項２】
請求項１に記載の画像形成装置であって、
前記凹部が、前記第２下側角部の高さ方向における全体にわたって設けられていることを特徴とする、画像形成装置。
【請求項３】
請求項１又は請求項２に記載の画像形成装置であって、
前記画像読取部は、撮像部を備えていて、画像読み取りが行われていない時点で前記撮像部が前記第２上側角部寄りの基準位置に配置されていることを特徴とする、画像形成装置。
【請求項４】
請求項３に記載の画像形成装置であって、
前記撮像部が前記第２上側角部寄りの所定の読取位置にて画像読み取りを行い得るように、前記画像読取部が構成されたことを特徴とする、画像形成装置。
【請求項５】
請求項４に記載の画像形成装置であって、
前記画像読取部は、前記撮像部が前記第１上側角部に向かう方向に移動することで、画像読み取りを行い得るように構成されたことを特徴とする、画像形成装置。
【請求項６】
請求項１又は請求項２に記載の画像形成装置であって、
前記画像読取部は、前記回動中心軸に沿った長手方向を有する撮像部を備えていて、画像読み取りが行われていない時点で前記撮像部が前記回動中心軸寄りの基準位置に配置されていることを特徴とする、画像形成装置。
【請求項７】
請求項６に記載の画像形成装置であって、
前記撮像部が前記回動中心軸寄りの所定の読取位置にて画像読み取りを行い得るように、前記画像読取部が構成されたことを特徴とする、画像形成装置。
【請求項８】
請求項７に記載の画像形成装置であって、
前記画像読取部は、前記撮像部が前記自由端側に向かう方向に移動することで、画像読み取りを行い得るように構成されたことを特徴とする、画像形成装置。
【請求項９】
請求項１ないし請求項８のいずれかに記載の画像形成装置であって、
前記第２側方支持部における前記端部は、当該第２下側角部よりも前記回動中心軸側にオフセットした位置に設けられていることを特徴とする、画像形成装置。
【請求項１０】
請求項１ないし請求項９のいずれかに記載の画像形成装置であって、
前記排紙口が、前記回動中心軸寄りの位置に設けられていることを特徴とする、画像形成装置。
【請求項１１】
請求項１ないし請求項１０のいずれかに記載の画像形成装置において、
前記第２下側角部に設けられた表示部をさらに備えたことを特徴とする、画像形成装置。
【請求項１２】
平面視にて略長方形状の箱状部材から構成されていて上部に排紙口及び排紙トレイが設けられた下側筐体を備えた、画像形成部と、
平面視にて略長方形状に形成されていて前記排紙トレイを上方から覆うように前記画像形成部の上方に配置された上側筐体を備え、前記略直方体形状における外縁の近傍位置に設けられた回動中心軸を中心として回動し得るように前記下側筐体によって支持された、画像読取部と、
を備え、
前記上側筐体の前記回動中心軸から離隔した自由端側の角部である上側角部と、その上側角部の真下に位置する前記下側筐体の角部である下側角部とが、異なる形状に形成されることで、前記上側角部が前記下側角部から突出するように、前記下側筐体及び前記上側筐体が構成されていることを特徴とする、画像形成装置。
【請求項１３】
請求項１２に記載の画像形成装置であって、
前記下側角部の高さ方向における全体にわたって、当該下側角部が、前記上側角部と異なる形状に形成されていることを特徴とする、画像形成装置。
【請求項１４】
請求項１２又は請求項１３に記載の画像形成装置であって、
前記下側角部が凹部を有するように形成されていることを特徴とする、画像形成装置。
【請求項１５】
請求項１２ないし請求項１４のいずれかに記載の画像形成装置であって、
前記画像読取部は、撮像部を備えていて、画像読み取りが行われていない時点で前記下側角部から突出した一方の前記上側角部寄りの基準位置に前記撮像部が配置されていることを特徴とする、画像形成装置。
【請求項１６】
請求項１５に記載の画像形成装置であって、
前記下側角部から突出した一方の前記上側角部寄りの所定の読取位置にて前記撮像部が画像読み取りを行い得るように、前記画像読取部が構成されたことを特徴とする、画像形成装置。
【請求項１７】
請求項１６に記載の画像形成装置であって、
前記画像読取部は、前記撮像部が前記一方とは異なる他方の前記上側角部に向かう方向に移動することで、画像読み取りを行い得るように構成されたことを特徴とする、画像形成装置。
【請求項１８】
請求項１２ないし請求項１４のいずれかに記載の画像形成装置であって、
前記画像読取部は、前記回動中心軸に沿った長手方向を有する撮像部を備えていて、画像読み取りが行われていない時点で前記撮像部が前記回動中心軸寄りの基準位置に配置されていることを特徴とする、画像形成装置。
【請求項１９】
請求項１８に記載の画像形成装置であって、
前記撮像部が前記回動中心軸寄りの所定の読取位置にて画像読み取りを行い得るように、前記画像読取部が構成されたことを特徴とする、画像形成装置。
【請求項２０】
請求項１９に記載の画像形成装置であって、
前記画像読取部は、前記撮像部が前記自由端側に向かう方向に移動することで、画像読み取りを行い得るように構成されたことを特徴とする、画像形成装置。
【請求項２１】
請求項１２ないし請求項２０のいずれかに記載の画像形成装置であって、
前記下側筐体は、
前記回動中心軸の一端側に設けられていて、前記上側筐体を下方から支持し得るように構成された第１側方支持部と、
前記回動中心軸の前記一端側とは異なる他端側に設けられていて、前記上側筐体を下方から支持し得るように構成された第２側方支持部と、
を備え、
前記下側角部は、前記第１側方支持部又は前記第２側方支持部に対応する位置に設けられ、
前記第１側方支持部又は前記第２側方支持部における、前記下側角部と近接する側の端面は、当該下側角部よりも前記回動中心軸側にオフセットした位置に設けられていることを特徴とする、画像形成装置。
【請求項２２】
請求項２１に記載の画像形成装置であって、
前記下側角部は、前記第２側方支持部に対応する位置にのみ設けられていることを特徴とする、画像形成装置。
【請求項２３】
請求項１２ないし請求項２２のいずれかに記載の画像形成装置であって、
前記排紙口が、前記回動中心軸寄りの位置に設けられていることを特徴とする、画像形成装置。
【請求項２４】
請求項１２ないし請求項１３のいずれかに記載の画像形成装置において、
前記下側角部に設けられた表示部をさらに備えたことを特徴とする、画像形成装置。
【発明の詳細な説明】
【技術分野】
【０００１】
本発明は、画像形成装置に関する。
【背景技術】
【０００２】
画像読取部が画像形成部の上方に設けられていて両者の間に排紙トレイが設けられた、画像形成装置が従来知られている。ここで、前記画像読取部は、原稿画像を読み取る機能を備えている。また、前記画像形成部は、用紙に画像を形成する機能を備えている。
【０００３】
かかる構成の画像形成装置であって、所定の回動中心軸を中心として前記画像読取部を回動させ得るように構成されたものもまた、従来知られている（例えば、特開平１０−３０１３４９号公報、特開２００５−１６５３６１号公報、特開２００６−６５１８８号公報、特開２００６−１１９４７４号公報、特開２００６−１２６４０６号公報等）。この種の画像形成装置においては、前記画像読取部を上方に回動することで、前記排紙トレイが外部に向けて広く開放される。これにより、画像形成済みの前記用紙の取り出し等が容易となる。
【特許文献１】特開平１０−３０１３４９号公報
【特許文献２】特開２００５−１６５３６１号公報
【特許文献３】特開２００６−６５１８８号公報
【特許文献４】特開２００６−１１９４７４号公報
【特許文献５】特開２００６−１２６４０６号公報
【発明の開示】
【０００４】
この種の画像形成装置において、特開平１０−３０１３４９号公報、特開２００５−１６５３６１号公報、特開２００６−１２６４０６号公報等に開示されているように、前記排紙トレイを側方（前記画像読取部の開閉方向と垂直な方向、すなわち、前記回動中心軸に沿った方向）に大きく開放すると、前記画像読取部の開閉操作が容易となる。しかしながら、このような構成においては、前記画像読取部の支持が不安定になり、画像読取動作に不具合が生じる場合がある。
【０００５】
一方、特開２００６−６５１８８号公報  特開２００６−１１９４７４号公報に開示されているように、前記排紙トレイを前方（前記画像読取部の開閉方向に沿った方向、すなわち、前記回動中心軸と垂直な方向）にのみ開放すると、前記画像読取部が安定的に支持される。しかしながら、このような構成においては、前記画像読取部の開閉操作が行いにくくなる。
【０００６】
本発明は、前記画像読取部を安定的に支持しつつ容易に開閉し得る構成の、画像形成装置を提供するものである。
【０００７】
本発明の画像形成装置は、画像形成部と、画像読取部と、を備えている。
【０００８】
前記画像形成部は、下側筐体を備えている。この下側筐体は、平面視にて略長方形状の箱状部材から構成されている。この下側筐体の上部には、排紙口及び排紙トレイが設けられている。
【０００９】
前記画像読取部は、上側筐体を備えている。この上側筐体は、平面視にて略長方形状に形成されている。また、この上側筐体は、前記排紙トレイを上方から覆うように、前記画像形成部の上方に配置されている。そして、この上側筐体は、前記略直方体形状における外縁の近傍位置に設けられた回動中心軸を中心として回動し得るように、前記下側筐体によって支持されている。
【００１０】
本発明の特徴は、上側角部と下側角部とが異なる形状に形成されることで、前記上側角部が前記下側角部から突出するように、前記下側筐体及び前記上側筐体が構成されていることにある。ここで、前記上側角部は、前記上側筐体の前記回動中心軸から離隔した自由端側の角部である。また、前記下側角部は、前記上側角部の真下に位置する前記下側筐体の角部である。
【００１１】
すなわち、前記構成においては、前記上側角部が前記下側角部から突出するように、前記上側角部と前記下側角部とに段差が形成されている。
【００１２】
なお、前記下側角部の高さ方向における全体にわたって、当該下側角部が、前記上側角部と異なる形状に形成されていてもよい。また、前記下側角部が凹部を有するように形成されていてもよい。
【００１３】
かかる構成を備えた本発明の画像形成装置においては、前記回動中心軸を中心として、前記画像読取部を上方に向けて回動する操作が行われる（開放操作）。この開放操作により、前記排紙トレイが外部に向けて広く開放される。その後、前記回動中心軸を中心として、前記画像読取部を下方に向けて回動する操作が行われる（閉鎖操作）。
【００１４】
使用者は、前記画像読取部における前記上側筐体の前記上側角部を、上方に持ち上げることで、これらの開放操作及び閉鎖操作を行うことができる。このとき、前記上側角部は、前記画像形成部における前記下側筐体の前記下側角部から突出している。よって、前記各操作を行うに際して、使用者は、前記下側角部から突出した前記上側角部に容易に手をかけることができる。
【００１５】
かかる構成によれば、前記排紙トレイを側方（前記画像読取部の開閉方向と垂直な方向、すなわち、前記回動中心軸に沿った方向）にあまりに大きく開放しなくても、前記画像読取部の開閉が容易に行われ得る。したがって、かかる構成によれば、前記画像読取部が、前記画像形成部（前記下側筐体）によって安定的に支持されつつ、容易に開閉され得る。
【００１６】
・前記画像読取部は、撮像部を備えている。前記画像読取部は、所定の読取位置にて前記撮像部が画像読み取りを行い得るように構成され得る。また、前記画像読取部は、前記撮像部が所定の方向に移動することで、画像読み取りを行い得るように構成され得る。この場合、前記撮像部は、画像読み取りが行われていない時点で、所定の基準位置に配置され得る。この基準位置は、前記読取位置と異なっていてもよいし、同一であってもよい。
【００１７】
ここで、例えば、前記画像読取部は、前記下側角部から突出した一方の前記上側角部寄りの位置に、前記基準位置又は前記読取位置が設定されるように構成され得る。この場合、前記撮像部は、前記回動中心軸と略垂直な長手方向を有するように構成され得る。また、前記画像読取部は、前記撮像部が前記一方とは異なる他方の前記上側角部に向かう方向に移動することで、画像読み取りを行い得るように構成され得る。
【００１８】
かかる構成においては、画像読み取りが行われていない時点で、前記開放操作や前記閉鎖操作が行われる。このとき、使用者の手によって持ち上げられている前記上側角部寄りの位置に、前記撮像部が配置されている。すなわち、前記開放操作や前記閉鎖操作が行われる際には、比較的大きな重量を有する前記撮像部の近傍部分が、使用者の手によって持ち上げられている。
【００１９】
よって、前記開放操作や前記閉鎖操作の際に、前記画像読取部（前記上側筐体）が捩れることが、効果的に抑制され得る。したがって、前記開放操作や前記閉鎖操作が、より良好に行われ得る。
【００２０】
あるいは、例えば、前記画像読取部は、前記回動中心軸寄りの位置に、前記基準位置又は前記読取位置が設定されるように構成され得る。この場合、前記撮像部は、前記回動中心軸に沿った長手方向を有するように構成され得る。また、前記画像読取部は、前記撮像部が前記自由端側に向かう方向に移動することで、画像読み取りを行い得るように構成され得る。
【００２１】
かかる構成においては、画像読み取りが行われていない時点で、前記開放操作や前記閉鎖操作が行われる。このとき、比較的大きな重量を有する前記撮像部の近傍部分が、前記回動中心軸寄りに位置しているので、当該部分から遠い前記上側角部を使用者の手によって持ち上げるために必要とされる力は小さくて済む。
【００２２】
よって、前記開放操作や前記閉鎖操作が、小さな力で行われ得る。したがって、前記開放操作や前記閉鎖操作が、より良好に行われ得る。
【００２３】
・前記画像形成装置が、以下の構成を備えていてもよい：前記下側筐体は、第１側方支持部と、第２側方支持部と、を備えている。前記第１側方支持部は、前記回動中心軸の一端側に設けられている。この第１側方支持部は、前記上側筐体を下方から支持し得るように構成されている。前記第２側方支持部は、前記回動中心軸の前記一端側とは異なる他端側に設けられている。この第２側方支持部は、前記上側筐体を下方から支持し得るように構成されている。前記下側角部は、前記第１側方支持部又は前記第２側方支持部に対応する位置に設けられている。そして、前記第１側方支持部又は前記第２側方支持部における、前記下側角部と近接する側の端面は、当該下側角部よりも前記回動中心軸側にオフセットした位置に設けられている。
【００２４】
かかる構成においては、前記画像読取部は、前記画像形成部における前記下側筐体の前記第１及び第２側方支持部によって、下方から支持されている。また、前記第１側方支持部と前記第２側方支持部との間に、前記排紙トレイが形成され得る。
【００２５】
ここで、前記下側角部と、当該下側角部から突出した前記上側角部と、の間の位置にて、前記第１側方支持部又は前記第２側方支持部における端面が、前記回動中心軸側に引っ込んだ状態となる。これにより、前記上側角部がより突出した状態が形成され得る。よって、前記上側角部を用いた前記開放操作や前記閉鎖操作が、より行い易くなる。あるいは、前記排紙トレイ内の視認性が向上し得る。
【００２６】
・前記排紙口は、前記回動中心軸寄りの位置に設けられていることが好適である。これにより、当該画像形成装置の平面視における投影面積が最小化され得る。
【００２７】
・前記下側角部には、表示部が設けられていてもよい。これにより、当該画像形成装置の運転状態に応じた各種の表示の視認性が向上し得る。
【００２８】
・前記下側角部は、前記第２側方支持部に対応する位置にのみ設けられていることが好適である。すなわち、前記上側角部が前記下側角部から突出するような、前記上側角部と前記下側角部との段差は、前記第１側方支持部に対応する位置は設けられず、前記第２側方支持部にのみ設けられていることが、好適である。
【００２９】
すなわち、かかる構成においては、前記第１側方支持部の、前記回動中心軸から遠い側の端部は、第１上側角部を下方から支持するように設けられている。この第１上側角部は、前記上側筐体における前記回動中心軸から離隔した自由端側の角部である。また、前記第１上側角部の真下に位置する前記下側筐体の角部である第１下側角部は、前記第１側方支持部の前記端部と連続するように設けられている。さらに、前記上側筐体における前記自由端側の角部である第２上側角部は、前記第２上側角部の真下に位置する前記下側筐体の角部である第２下側角部から突出するようになっている。
【００３０】
かかる構成においては、前記上側筐体における前記第１側方支持部と対応する部分は、前記回動中心軸の近傍部分から前記（第１）上側角部に至るまで、前記第１側方支持部によって支持される。一方、前記第２側方支持部に対応する位置においては、前記（第２）上側角部が前記（第２）下側角部から突出している。
【００３１】
これにより、前記第２側方支持部に対応する位置の前記（第２）上側角部を用いて前記開放操作や前記閉鎖操作が簡易に行われつつ、前記画像読取部がより安定的に支持され得る。
【発明を実施するための最良の形態】
【００３２】
以下、本発明の実施形態（本願の出願時点において取り敢えず出願人が最良と考えている実施形態）について、図面を参照しつつ説明する。
【００３３】
＜マルチファンクションプリンタの全体構成＞
図１は、本発明の画像形成装置の一実施形態としての、マルチファンクションプリンタ１の斜視図である。このマルチファンクションプリンタ１は、最大Ａ４サイズ（幅２１０ｍｍ×長さ２９７ｍｍ）のシート状の記録媒体上に形成された画像を読み取り得るように構成されている。また、このマルチファンクションプリンタ１は、最大Ａ４サイズのシート状の記録媒体に対して画像形成を行い得るように構成されている。
【００３４】
図１を参照すると、マルチファンクションプリンタ１は、本発明の画像形成部としてのプリント部２と、本発明の画像読取部としてのイメージスキャナ部３と、を備えている。イメージスキャナ部３は、プリント部２の上方に配置されている。
【００３５】
図２は、図１に示されているプリント部２と、イメージスキャナ部３の下部との、左方向から見た側断面図である。図１及び図２を参照すると、イメージスキャナ部３は、マルチファンクションプリンタ１の幅方向と平行な回動中心軸Ｃを中心として、その自由端部（手前側の端部）が上下方向に沿って回動し得るように、プリント部２によって下方から支持されている。すなわち、イメージスキャナ部３が、図２に示されている状態から、図中矢印方向に開放され得るように、マルチファンクションプリンタ１が構成されている。
【００３６】
以下、本実施形態における、プリント部２及びイメージスキャナ部３の具体的な構成について説明する。
【００３７】
＜プリント部＞
図１及び図２を参照すると、プリント部２は、下側筐体２１０を備えている。下側筐体２１０は、プリント部２のケーシングを構成する部材である。この下側筐体２１０は、合成樹脂板によって、平面視にて略長方形状の箱状に形成されている。
【００３８】
図２を参照すると、下側筐体２１０の上部には、排紙トレイ２１１が設けられている。排紙トレイ２１１は、下側筐体２１０の上面（イメージスキャナ部３と対向する面）によって形成されている。
【００３９】
排紙トレイ２１１は、手前側（図２における右側）から奥側（図２における左側）に向かって斜め下方に延びる斜面状に形成されている。すなわち、下側筐体２１０の上部には、上方に開口する凹部が設けられていて、この凹部の底面によって排紙トレイ２１１が形成されている。
【００４０】
排紙トレイ２１１は、Ａ４サイズの記録媒体の幅（用紙幅：２１０ｍｍ）に対応するような幅に形成されている。また、排紙トレイ２１１は、Ａ４サイズの記録媒体を、当該記録媒体の長さ方向とプリント部２の前後方向とを一致させた状態で、落下させることなく載置し得るような長さに形成されている。
【００４１】
下側筐体２１０の上部には、排紙口２１２が形成されている。排紙口２１２は、前記幅方向に沿った長手方向を有するスリット状の開口部である。この排紙口２１２は、排紙トレイ２１１の奥側の端部（最低部）の上方に設けられている。すなわち、排紙口２１２は、下側筐体２１０の前後方向における中心よりも奥側に設けられている。また、排紙口２１２は、回動中心軸Ｃ寄りの位置に設けられている。
【００４２】
＜＜下側筐体の構成の詳細＞＞
図１を参照すると、下側筐体２１０における、回動中心軸Ｃの一端側には、第１側方支持部２１３が設けられている。第１側方支持部２１３は、排紙トレイ２１１から上方に突出するように形成されている。この第１側方支持部２１３は、イメージスキャナ部３（後述する上側筐体３１０）における、回動中心軸Ｃの一端側を、下方から支持し得るように構成されている。
【００４３】
第１側方支持部２１３の手前側（回動中心軸Ｃから遠い側）の端面である第１前端面２１３ａは、その下方の第１下側角部２１４と連続するように設けられている。ここで、第１下側角部２１４とは、手前側かつ回動中心軸Ｃの前記一端側の、下側筐体２１０の角部である。第１前端面２１３ａは、下側筐体２１０の手前側の端面を構成する第１下側角部２１４の前端面と連続するように設けられている。
【００４４】
下側筐体２１０における、回動中心軸Ｃの前記一端側と反対側の他端側には、第２側方支持部２１５が設けられている。第２側方支持部２１５は、排紙トレイ２１１から上方に突出するように形成されている。この第２側方支持部２１５は、イメージスキャナ部３（後述する上側筐体３１０）における、回動中心軸Ｃの前記一端側と反対側の他端側を、下方から支持し得るように構成されている。
【００４５】
第２側方支持部２１５の手前側（回動中心軸Ｃから遠い側）の端面である第２前端面２１５ａは、第１前端面２１３ａよりも前記回動中心軸側にオフセットした位置に設けられている。すなわち、第２前端面２１５ａは、下側筐体２１０の手前側の端面よりも、前記回動中心軸側にオフセットした位置に設けられている。このオフセット量は、標準的な使用者の手がイメージスキャナ部３の角部にかけ易くなる最小限度の量に設定されている。具体的には、このオフセット量は、標準的な使用者の手の人差し指における指先から第１関節までの長さに相当する量に設定されている。
【００４６】
第２前端面２１５ａの下方に位置する、下側筐体２１０の第２下側角部２１６は、その高さ方向の全体にわたって、凹状に陥没するように形成されている。ここで、第２下側角部２１６とは、手前側かつ回動中心軸Ｃの前記一端側とは反対側である他端側の、下側筐体２１０の角部である。
【００４７】
上述のように、排紙トレイ２１１の幅方向における両端部には、第１側方支持部２１３及び第２側方支持部２１５が設けられている。そして、第１側方支持部２１３と第２側方支持部２１５との間には、用紙排出開口部２１７が設けられている。この用紙排出開口部２１７は、排紙トレイ２１１の手前側の端部にて、手前側に向けて開口するように設けられている。
【００４８】
第２下側角部２１６には、本発明の表示部としての補助表示部２１８が設けられている。本実施形態においては、補助表示部２１８は、第２下側角部２１６の上端部に設けられている。
【００４９】
本実施形態における補助表示部２１８は、下側筐体２１０の外部に露出するように設けられた導光部材と、この導光部材に対向するように設けられた複数の異なる色の発光ダイオードとから構成されている。これら複数の発光ダイオード（図示せず）は、下側筐体２１０の内部に備えられている。この補助表示部２１８は、複数の発光ダイオードの発光状態によって、プリント部２やイメージスキャナ部３の状態に対応した表示を行い得るように構成されている。
【００５０】
＜＜フィーダーユニット＞＞
図１及び図２を参照すると、下側筐体２１０の下方には、フィーダーユニット２２０が配置されている。フィーダーユニット２２０は、下側筐体２１０の内部に記録媒体を供給し得るように構成されている。このフィーダーユニット２２０は、手前側から下側筐体２１０に対して着脱し得るように構成されている。
【００５１】
図２を参照すると、フィーダーケース２２１は、フィーダーユニット２２０のケーシングを構成する部材であって、上方に開口した箱状の部材からなる。このフィーダーケース２２１は、最大Ａ４サイズの記録媒体を、その長さ方向と前記前後方向とを一致させた状態で、積層状態にて多数収容し得るように構成されている。
【００５２】
＜＜プリントカートリッジ＞＞
図２を参照すると、下側筐体２１０の内部であって、フィーダーユニット２２０の上方には、プリントカートリッジ２３０が収容されている。
【００５３】
本実施形態におけるプリントカートリッジ２３０は、感光体ドラム２３１と、現像ユニット２３２と、転写ローラ２３３と、を備えている。
【００５４】
感光体ドラム２３１は、外周部を構成する感光体層と、その感光体層の内側に設けられたアルミニウム等の金属管とから構成された、略円筒形状の部材である。また、感光体ドラム２３１は、前記幅方向と平行となるように配置されている。この感光体ドラム２３１は、その外周面に静電潜像が形成され得るように構成されている。
【００５５】
現像ユニット２３２は、感光体ドラム２３１の前記外周面と対向するように配置されている。この現像ユニット２３２は、静電潜像が形成された感光体ドラム２３１の前記外周面に対して、帯電した乾式現像剤（トナー）を供給することで、静電潜像に対応したパターンで乾式現像剤を前記外周面に付着させ得るように構成されている。すなわち、この現像ユニット２３２は、感光体ドラム２３１の前記外周面の静電潜像を現像し得るように構成されている。
【００５６】
転写ローラ２３３は、現像ユニット２３２を経た感光体ドラム２３１の前記外周面と対向するように配置されている。この転写ローラ２３３は、感光体ドラム２３１の前記外周面に付着した乾式現像剤を、記録媒体に転写させ得るように構成されている。
【００５７】
＜＜露光ユニット＞＞
下側筐体２１０の内部であって、プリントカートリッジ２３０の上方には、露光ユニット２４０が配置されている。この露光ユニット２４０は、画像データに応じて変調されたレーザービームを、感光体ドラム２３１の前記外周面に対して照射することで、当該外周面上に静電潜像を形成し得るように構成されている。
【００５８】
＜＜定着・排紙部＞＞
下側筐体２１０の内部であって、感光体ドラム２３１と転写ローラ２３３とが対向する位置よりも記録媒体の搬送方向における下流側には、定着ユニット２５０が配置されている。また、定着ユニット２５０は、排紙トレイ２１１の奥側の端部の直下に配置されている。
【００５９】
定着ユニット２５０は、プリントカートリッジ２３０を経て乾式現像剤が付着した記録媒体を加圧しつつ加熱することで、当該記録媒体上に形成された乾式現像剤による像を、当該記録媒体上に定着させ得るように構成されている。
【００６０】
具体的には、定着ユニット２５０は、ヒートローラ２５１と、加圧ローラ２５２と、を備えている。
【００６１】
ヒートローラ２５１は、金属製の円筒内にハロゲンランプを収容してなり、図示しないモータによって回転駆動され得るように構成されている。加圧ローラ２５２は、シリコンゴム製のローラであり、ヒートローラ２５１に対して所定の圧力をもって押圧されつつ当該ヒートローラ２５１に従動して回転され得るように構成されている。
【００６２】
排紙口２１２に対応する位置には、排紙ローラ対２６１が配置されている。排紙ローラ対２６１は、定着ユニット２５０を経た記録媒体を排紙トレイ２１１に向けて排出し得るように構成されている。
【００６３】
＜イメージスキャナ部＞
図３は、図１に示されているイメージスキャナ部３を正面から見た断面図である。
【００６４】
図１ないし図３を参照すると、イメージスキャナ部３は、上述の上側筐体３１０を備えている。上側筐体３１０は、イメージスキャナ部３のケーシングを構成する部材である。この上側筐体３１０は、合成樹脂板によって、平面視にて略長方形状の箱状に形成されている。
【００６５】
図１及び図２を参照すると、上側筐体３１０は、排紙トレイ２１１を上方から覆うように、プリント部２の上方に配置されている。この上側筐体３１０は、略直方体形状における外縁の近傍位置に設けられた回動中心軸Ｃを中心として回動し得るように、下側筐体２１０によって支持されている。
【００６６】
上側筐体３１０における手前側の端部（自由端部、すなわち、回動中心軸から遠い側の端部）によって、フロント操作部３１１が構成されている。フロント操作部３１１には、多数のスイッチ３１２の他に、メイン表示部３１３が設けられている。
【００６７】
スイッチ３１２は、コピー開始、コピー枚数設定、ファックス送付先設定、ファックス送付開始、等のために操作される、押しボタンスイッチである。メイン表示部３１３は、液晶表示部であって、プリント部２やイメージスキャナ部３の状態に対応して、文字等による表示を行い得るように構成されている。
【００６８】
図１を参照すると、フロント操作部３１１における第１上側角部３１４は、下側筐体２１０における第１側方支持部２１３によって、下方から支持されている。また、この第１上側角部３１４は、第１側方支持部２１３における第１前端面２１３ａ、及び第１下側角部２１４と連続するように設けられている。
【００６９】
ここで、第１上側角部３１４は、フロント操作部３１１における、回動中心軸Ｃの前記一端側の端部である。すなわち、第１上側角部３１４は、上側筐体３１０における、回動中心軸Ｃから離隔した自由端側の角部である。この第１上側角部３１４は、第１下側角部２１４の真上に位置するように設けられている。また、第１上側角部３１４は、平面視にて、第１下側角部２１４とほぼ同様の形状に構成されている。
【００７０】
一方、フロント操作部３１１における第２上側角部３１５は、第２側方支持部２１５における第２前端面２１５ａ、及び第２下側角部２１６から突出するように設けられている。
【００７１】
ここで、第２上側角部３１５は、フロント操作部３１１における、回動中心軸Ｃの前記他端側の端部である。すなわち、第２上側角部３１５は、上側筐体３１０における、回動中心軸Ｃから離隔した自由端側の角部である。
【００７２】
第２上側角部３１５は、第２下側角部２１６の真上に位置するように設けられている。また、第２上側角部３１５は、平面視にて、第２下側角部２１６と異なる形状に構成されている。すなわち、第２上側角部３１５が第２下側角部２１６から突出するように、第２上側角部３１５と第２下側角部２１６とに段差が形成されている。
【００７３】
＜＜原稿読取のための構成の詳細＞＞
図２及び図３を参照すると、上側筐体３１０の上部には、原稿載置板３２１が設けられている。原稿載置板３２１は、Ａ４サイズのシート状の記録媒体に対応する大きさに形成された、平面視にて矩形状の板状部材であって、透明な材質（ガラス又は合成樹脂）によって形成されている。この原稿載置板３２１は、その長手方向がマルチファンクションプリンタ１の前記幅方向と平行となるように配置されている。
【００７４】
上側筐体３１０の内部には、本発明の撮像部としてのコンタクトイメージスキャナ（ＣＩＳ）３２２が配置されている。ＣＩＳ３２２は、原稿載置板３２１の下方にて、当該原稿載置板３２１と近接した位置に配置されている。このＣＩＳ３２２は、原稿載置板３２１上に密着した状態の原稿上の画像濃度に応じた信号を出力し得るように構成されている。
【００７５】
ＣＩＳ３２２は、その長手方向における長さが、Ａ４用紙幅（２１０ｍｍ）に対応するように構成されている。ＣＩＳ３２２は、その長手方向が回動中心軸Ｃと直交するように配置されている。
【００７６】
本実施形態においては、イメージスキャナ部３は、ＣＩＳ３２２がマルチファンクションプリンタ１の前記幅方向（図３における左右方向）に沿って往復移動し得るように構成されている。すなわち、本実施形態におけるイメージスキャナ部３は、ＣＩＳ３２２が回動中心軸Ｃに沿って往復移動し得るように構成されている。
【００７７】
図３に示されているように、ＣＩＳ３２２は、原稿読み取りが行われていない状態において、本発明の基準位置に相当する所定の待機位置ＷＰに配置されている。この待機位置ＷＰは、第２下側角部２１６のほぼ真上に設定されている。すなわち、ＣＩＳ３２２は、第２下側角部２１６から第１下側角部２１４に向かう方向（図３における右方向）に移動しつつ、原稿載置板３２１上に載置された原稿を読み取り得るように構成されている。
【００７８】
上側筐体３１０の内部には、ＣＩＳ移動ガイド３２３が配置されている。ＣＩＳ移動ガイド３２３は、その長手方向がマルチファンクションプリンタ１の前記幅方向と平行となるように配置された棒状部材である。このＣＩＳ移動ガイド３２３は、ＣＩＳ３２２の前記方向に沿った往復移動をガイドし得るように構成されている。
【００７９】
上側筐体３１０の上方には、オートドキュメントフィーダ（ＡＤＦ）３３０が配置されている。図２を参照すると、ＡＤＦ３３０は、ヒンジ部３３１を中心として回動可能に構成されている。本実施形態においては、ヒンジ部３３１によるＡＤＦ３３０の回動中心軸が、回動中心軸Ｃと平行となるように、イメージスキャナ部３が構成されている。
【００８０】
すなわち、ＡＤＦ３３０は、原稿載置板３２１上に載置されることで原稿を原稿載置板３２１に押し付ける閉鎖状態と、水平面に対して略４５°程度まで回動されることで原稿載置板３２１上に原稿を載置したり原稿載置板３２１上から原稿を除去したりすることができる開放状態との間で、回動し得るように構成されている。
【００８１】
ＡＤＦ３３０は、下側原稿トレイ３３２と、上側原稿トレイ３３３と、原稿押下パッド３３４と、原稿供給部３３５と、原稿搬送部３３６と、原稿排出部３３７と、を備えている。
【００８２】
下側原稿トレイ３３２は、原稿載置板３２１上に載置された原稿を押さえつけ得るとともに、ＡＤＦ３３０によって送られた原稿を載置し得るように構成されている。上側原稿トレイ３３３は、ＣＩＳ３２２によって読み取られる前の原稿を載置し得るように構成されている。
【００８３】
図４は、図３に示されているＣＩＳ３２２が、待機位置ＷＰよりも若干第１下側角部２１４側の位置である読取位置ＲＰに移動した状態を示す、イメージスキャナ部３の正面から見た断面図である。
【００８４】
図４に示されているように、原稿押下パッド３３４は、読取位置ＲＰに移動したＣＩＳ３２２と対向する位置に設けられている。この原稿押下パッド３３４は、読取位置ＲＰに移動したＣＩＳ３２２の真上の位置にて、原稿を原稿載置板３２１に向けて押下し得るように構成されている。
【００８５】
原稿供給部３３５は、上側原稿トレイ３３３に載置された原稿を１枚ずつ、ＡＤＦ３３０の内部に向けて供給し得るように構成されている。この原稿供給部３３５は、少なくとも１本のゴムローラを備えている。
【００８６】
原稿搬送部３３６は、原稿供給部３３５によって送られて来た原稿を、原稿押下パッド３３４と原稿載置板３２１との間の位置に向けて搬送し得るように構成されている。この原稿搬送部３３６は、Ａ４用紙の幅（２１０ｍｍ）に対応する長さのゴムローラを、少なくとも備えている。
【００８７】
原稿排出部３３７は、原稿押下パッド３３４と原稿載置板３２１との間の位置にてＣＩＳ３２２によって読み取られた原稿を、下側原稿トレイ３３２に向けて排出し得るように構成されている。この原稿排出部３３７は、一対のローラ部材から構成されている。
【００８８】
＜動作の概略＞
以下、上述の構成を備えたマルチファンクションプリンタ１の動作の概略について、各図面を参照しつつ説明する。
【００８９】
＜＜原稿読み取り動作＞＞
原稿読み取り前においては、図３に示されているように、ＣＩＳ３２２は、待機位置ＷＰに位置している。
【００９０】
（１）この状態で、ヒンジ部３３１を中心とした回動により、ＡＤＦ３３０が開放される。そして、読み取り対象の画像を有する面が原稿載置板３２１に密着した状態で、原稿が原稿載置板３２１上に載置される。原稿載置の後、ＡＤＦ３３０が閉鎖される。これにより、原稿が原稿載置板３２１に押し付けられる。
【００９１】
その後、所定のスイッチ操作がなされると、ＣＩＳ３２２が図４に示されている読取位置ＲＰに一旦移動し、次いで当該読取位置ＲＰからさらに図中右方向に移動する。この移動の最中に、ＣＩＳ３２２による原稿読み取りが行われる。原稿読み取りが完了すると、ＣＩＳ３２２は、図３に示されている待機位置ＷＰに移動する。
【００９２】
（２）原稿載置板３２１上に原稿が全く載置されておらず、且つ上側原稿トレイ３３３に原稿が１枚以上載置された状態で、所定のスイッチ操作がなされる。
【００９３】
すると、ＣＩＳ３２２が、図４に示されている読取位置ＲＰに移動する。次いで、原稿供給部３３５によって、原稿が１枚ずつ、ＡＤＦ３３０の内部に向けて供給される。この原稿供給部３３５によって送られた原稿は、原稿搬送部３３６によって、原稿押下パッド３３４と原稿載置板３２１（ＣＩＳ３２２）との間の位置に向けて搬送される。この位置で、ＣＩＳ３２２による原稿読み取りが行われる。当該位置を経た原稿は、原稿排出部３３７によって、下側原稿トレイ３３２に向けて排出される。原稿読み取りが完了すると、ＣＩＳ３２２は、図３に示されている待機位置ＷＰに移動する。
【００９４】
＜＜画像形成動作＞＞
ＣＩＳ３２２によって読み取られた画像データ、あるいは外部装置（パーソナルコンピュータ、電話回線、外部記憶媒体等）から取得された画像データに基づいて、シート状の記録媒体に、画像が以下のようにして形成される。
【００９５】
図２を参照すると、フィーダーケース２２１に収容された記録媒体は、フィーダーユニット２２０によって、感光体ドラム２３１と転写ローラ２３３とが対向する位置に向けて供給される。
【００９６】
一方、露光ユニット２４０から感光体ドラム２３１の外周面に対して、画像データに応じて変調されたレーザービームが照射される。これにより、感光体ドラム２３１の外周面に静電潜像が形成される。この静電潜像は、現像ユニット２３２によって現像される。すなわち、感光体ドラム２３１の外周面上に、帯電した現像剤が、画像状に配列した状態で付着する。
【００９７】
感光体ドラム２３１の外周面上に付着した現像剤は、感光体ドラム２３１と転写ローラ２３３とが対向する位置にて、記録媒体に転写される。現像剤が転写された記録媒体は、定着ユニット２５０によって加熱及び加圧を受ける。これにより、記録媒体上に、現像剤が定着される。
【００９８】
定着ユニット２５０を経て現像剤が定着された記録媒体は、排紙ローラ対２６１によって、排紙口２１２を通って、排紙トレイ２１１に向けて排出される。これにより、画像形成済みの記録媒体は、排紙トレイ２１１上に載置される。
【００９９】
＜＜排紙トレイ内確認・記録媒体取り出し動作＞＞
図５は、図１に示されているマルチファンクションプリンタ１におけるイメージスキャナ部３が、上方に開放された状態を示す斜視図である。図６は、図５に示されているマルチファンクションプリンタ１の左側面図である。
【０１００】
まず図１を参照すると、イメージスキャナ部３における第２上側角部３１５を上方に持ち上げることで、図５及び図６に示されているように、イメージスキャナ部３が上方に開放される。これにより、図５に示されているように、排紙トレイ２１１が外部に広く開放される。
【０１０１】
この状態においては、排紙トレイ２１１内の確認が、簡易に行われ得る。あるいは、排紙トレイ２１１に載置された小さなサイズ（例えばハガキサイズ）の記録媒体の取り出しが、簡易に行われ得る。
【０１０２】
＜実施形態の構成による効果＞
以下、本実施形態の構成による効果について、各図面を参照しつつ説明する。
【０１０３】
・図１を参照すると、本実施形態においては、第１側方支持部２１３の手前側の端部が、第１上側角部３１４の真下に設けられている。一方、第２側方支持部２１５の手前側の端部が、第２上側角部３１５を突出させるように、第２下側角部２１６からオフセットした位置に設けられている。このオフセット量は、標準的な使用者の手がイメージスキャナ部３の角部にかけ易くなる最小限度の量に設定されている。
【０１０４】
すなわち、本実施形態においては、第２下側角部２１６と、当該第２下側角部２１６から突出した第２上側角部３１５と、の間の位置にて、第２側方支持部２１５における手前側の端面（第２前端面２１５ａ）が、回動中心軸Ｃ側に引っ込んだ状態となる。
【０１０５】
かかる構成によれば、使用者が、突出した第２上側角部３１５に手をかけて、当該第２上側角部３１５を上方に持ち上げることで、イメージスキャナ部３の開閉操作が容易に行われ得る。
【０１０６】
したがって、イメージスキャナ部３が、プリント部２における下側筐体２１０によって安定的に支持されつつ、容易に開閉され得る。
【０１０７】
また、かかる構成によれば、第２前端面２１５ａ側にて、排紙トレイ２１１が斜め前方に向けて開放され得る。これにより、排紙トレイ２１１内の視認性が向上する。
【０１０８】
・図１を参照すると、本実施形態においては、第２上側角部３１５と第２下側角部２１６とが異なる形状に形成されることで、第２上側角部３１５が第２下側角部２１６から突出するように、下側筐体２１０及び上側筐体３１０が構成されている。すなわち、本実施形態においては、第２上側角部３１５が第２下側角部２１６から突出するような段差が、第２上側角部３１５と第２下側角部２１６との間に形成されている。
【０１０９】
よって、使用者が、第２下側角部２１６に沿って手指を上方に移動させることで、当該手指が前記段差に良好に案内され得る。そして、この手指が、第２下側角部２１６から突出した第２上側角部３１５にかけられて、当該第２上側角部３１５が上方に持ち上げられる。
【０１１０】
かかる構成によれば、用紙排出開口部２１７をマルチファンクションプリンタ１の幅の全体にわたって形成しなくても、イメージスキャナ部３の開閉操作が、より容易に行われ得る。
【０１１１】
・図１を参照すると、本実施形態においては、第２下側角部２１６の高さ方向における全体にわたって、当該第２下側角部２１６が、第２上側角部３１５と異なる形状に形成されている。すなわち、本実施形態においては、第２下側角部２１６には、その高さ方向における全体にわたって、凹部が形成されている。
【０１１２】
かかる構成においては、使用者の手指は、前記凹部に沿って上方に移動することで、前記段差に良好に案内され得る。
【０１１３】
かかる構成によれば、イメージスキャナ部３の開閉操作が、よりいっそう容易に行われ得る。
【０１１４】
・図１及び図３を参照すると、本実施形態においては、待機位置ＷＰにおけるＣＩＳ３２２、及びＡＤＦ３３０における主要な構成（原稿供給部３３５、原稿搬送部３３６等）が、第２上側角部３１５寄りの位置に配置されている。
【０１１５】
かかる構成においては、画像読み取りが行われていない時点で、イメージスキャナ部３の開閉操作が行われる。このとき、比較的大きな重量を有するＣＩＳ３２２の近傍部分が、使用者の手によって持ち上げられる。
【０１１６】
かかる構成によれば、イメージスキャナ部３の開閉操作の際に、イメージスキャナ部３（上側筐体３１０）が捩れることが、効果的に抑制され得る。したがって、イメージスキャナ部３の開閉操作が、より良好に行われ得る。
【０１１７】
・図２を参照すると、本実施形態においては、排紙口２１２が回動中心軸Ｃ寄りの位置に設けられている。これにより、プリント部２及びマルチファンクションプリンタ１の平面視における投影面積が最小化され得る。
【０１１８】
・図１を参照すると、本実施形態においては、第２下側角部２１６には、補助表示部２１８が設けられている。これにより、マルチファンクションプリンタ１の運転状態に応じた各種の表示の視認性が向上し得る。
【０１１９】
＜変形例の例示＞
なお、上述の実施形態は、上述した通り、出願人が取り敢えず本願の出願時点において最良であると考えた、本発明の代表的な実施形態を、単に例示したものにすぎない。よって、本発明はもとより上述の実施形態に何ら限定されるものではない。したがって、本発明の本質的部分を変更しない範囲内において、上述の実施形態に対して種々の変形が施され得ることは、当然である。
【０１２０】
以下、変形例について、幾つか例示する。以下の変形例の説明において、上述の実施形態にて説明されているものと同様の構成及び機能を有する部材に対しては、上述の実施形態と同様の符号が付されているものとする。そして、かかる部材の説明については、技術的に矛盾しない範囲内において、上述の実施形態における説明が援用され得るものとする。
【０１２１】
もっとも、言うまでもなく、変形例とて、以下に列挙されたものに限定されるものではない。また、複数の変形例が、技術的に矛盾しない範囲内において、適宜、複合的に適用され得る。
【０１２２】
本発明（特に、本発明の課題を解決するための手段を構成する各構成要素における、作用的・機能的に表現されているもの）は、上述の実施形態や、上述及び下記の変形例の記載に基づいて、限定解釈されてはならない。このような限定解釈は、（先願主義の下で出願を急ぐ）出願人の利益を不当に害する反面、模倣者を不当に利するものであって、許されない。
【０１２３】
（ａ）本発明の適用対象は、マルチファンクションプリンタに限定されない。本発明は、例えば、コピー機能のみ有する画像形成装置に対しても良好に適用され得る。あるいは、本発明は、ファックス機能のみ有する画像形成装置に対しても良好に適用され得る。
【０１２４】
（ｂ）プリント部２（プリントカートリッジ２３０）は、上述の実施形態におけるような電子写真方式に限定されない。例えば、いわゆるインクジェット方式のものでもよい。
【０１２５】
（ｃ）前記の実施形態においては、待機位置ＷＰは、読取位置ＲＰと異なる位置であった。もっとも、本発明はこれに限定されない。すなわち、待機位置ＷＰは、読取位置ＲＰと一致していてもよい。
【０１２６】
（ｄ）前記の実施形態においては、イメージスキャナ部３は、ＡＤＦ機能及びフラットベッドスキャナ機能の双方を有していた。もっとも、本発明はこれに限定されない。
【０１２７】
すなわち、イメージスキャナ部３は、ＡＤＦ機能を有さずフラットベッドスキャナ機能しか有しないものであってもよい。あるいは、イメージスキャナ部３は、フラットベッドスキャナ機能を有さずＡＤＦ機能しか有しないものであってもよい。
【０１２８】
（ｅ）第２下側角部２１６における上述の構成（例えば凹部）は、少なくとも第２下側角部２１６における上端部に形成されていれば足りる。
【０１２９】
（ｆ）図７は、図６に示されているマルチファンクションプリンタ１の変形例の構成を示す左側面図である。図８は、図７に示されているイメージスキャナ部３の側断面図である。
【０１３０】
図７及び図８を参照すると、本変形例における回動中心軸Ｃは、ＣＩＳ３２２の長手方向と平行となるように設けられている。そして、本変形例においては、第２下側角部２１６から突出した第２上側角部３１５は、ＣＩＳ移動ガイド３２３の、待機位置ＷＰとは反対側の端部に対応する位置に設けられている。
【０１３１】
かかる構成においては、イメージスキャナ部３の自由端側（第２上側角部３１５側）に向かう方向にＣＩＳ３２２が移動することで、画像読み取りが行われる。
【０１３２】
そして、画像読み取りが行われていない時点で、ＣＩＳ３２２は、待機位置ＷＰに位置している。この状態で、イメージスキャナ部３の開閉操作が行われる。このとき、比較的大きな重量を有するＣＩＳ３２２及びその近傍の構成部分が、回動中心軸Ｃ寄りに位置している。よって、第２上側角部３１５を使用者の手によって持ち上げるために必要とされる力は小さくて済む。
【０１３３】
したがって、イメージスキャナ部３の開閉操作が、より良好に行われ得る。
【０１３４】
（ｇ）その他、本発明の課題を解決するための手段を構成する各要素における、作用・機能的に表現されているものは、上述の実施形態や変形例にて開示されている具体的構造の他、当該作用・機能を実現可能ないかなる構造をも含む。
【図面の簡単な説明】
【０１３５】
【図１】本発明の画像形成装置の一実施形態としてのマルチファンクションプリンタの斜視図である。
【図２】図１に示されているプリント部とイメージスキャナ部の下部との、左方向から見た側断面図である。
【図３】図１に示されているイメージスキャナ部を正面から見た断面図である。
【図４】図３に示されているコンタクトイメージスキャナ（ＣＩＳ）が、待機位置よりも若干第１下側角部側の位置である読取位置に移動した状態を示す、イメージスキャナ部３の正面から見た断面図である。
【図５】図１に示されているマルチファンクションプリンタにおけるイメージスキャナ部が、上方に開放された状態を示す斜視図である。
【図６】図５に示されているマルチファンクションプリンタの左側面図である。
【図７】図６に示されているマルチファンクションプリンタの変形例の構成を示す左側面図である。
【図８】図７に示されているイメージスキャナ部の側断面図である。
【符号の説明】
【０１３６】
１…マルチファンクションプリンタ（画像形成装置）
２…プリント部（画像形成部）
３…イメージスキャナ部（画像読取部）
２１０…下側筐体
２１１…排紙トレイ
２１２…排紙口
２１３…第１側方支持部
２１３ａ…第１前端面
２１４…第１下側角部
２１５…第２側方支持部
２１５ａ…第２前端面
２１６…第２下側角部
２１７…用紙排出開口部
２１８…補助表示部
２２０…フィーダーユニット
２３０…プリントカートリッジ
２３１…感光体ドラム
２３２…現像ユニット
２３３…転写ローラ
２４０…露光ユニット
２５０…定着ユニット
２５１…ヒートローラ
２５２…加圧ローラ
２６１…排紙ローラ対
３１０…上側筐体
３１１…フロント操作部
３１２…スイッチ
３１３…メイン表示部
３１４…第１上側角部
３１５…第２上側角部
３２１…原稿載置板
３２２…ＣＩＳ（撮像部）
３２３…ＣＩＳ移動ガイド
３３０…ＡＤＦ
３３１…ヒンジ部
３３２…下側原稿トレイ
３３３…上側原稿トレイ
３３４…原稿押下パッド
３３５…原稿供給部
３３６…原稿搬送部
３３７…原稿排出部
Ｃ…回動中心軸
ＲＰ…読取位置
ＷＰ…待機位置（基準位置）
【図１】
2008107573.tif 000003
【図２】
2008107573.tif 000004
【図３】
2008107573.tif 000005
【図４】
2008107573.tif 000006
【図５】
2008107573.tif 000007
【図６】
2008107573.tif 000008
【図７】
2008107573.tif 000009
【図８】
2008107573.tif 000010